(57)【要約】【課題】  キャップ形のアクチュエータに備わっている空所に厚紙やプラスチック片などで作った詰め物を詰め込むだけで残量排出を連続して行うことができるようにする。【解決手段】  キャップ形のアクチュエータ３が、内容物を噴出するノズル４と、押上げ方向に常時弾発付勢されていてその付勢力に抗して押し下げられることにより内容物をチューブ４１を介してノズル４に向けて容器本体２から流出させる操作ボタン６と、内容物通路を形成しているチューブ４１が挿通されて操作ボタン６の前側に位置している空所３３と、空所３３の開口部３４に詰め込まれる詰め物７と、を備える。開口部３４の口縁に詰め物支持部３４ａを形成する。操作ボタン６の頂部６１に受圧部を形成する。詰め物支持部３４ａよりも受圧部が下位に位置している。操作ボタン６の変位が空所３３でのチューブ４１の曲り変形によって吸収されるようになっている。【選択図】        図１
0003124417.tif 000002
【実用新案登録請求の範囲】
【請求項１】
内容物を貯留している容器本体に装着される樹脂成形体でなるキャップ形のアクチュエータであって、
上記内容物を噴出するノズルと、押上げ方向に常時弾発付勢されていてその付勢力に抗して押し下げられることにより上記内容物を内容物通路を経て上記ノズルに向けて上記容器本体から流出させる操作ボタンと、上記内容物通路の構成部材が配備されて上記操作ボタンの前側に位置している空所と、上記操作ボタン側の上記空所の開口部に詰め込まれる詰め物とを備え、
上記操作ボタン側の上記開口部の口縁に、その開口部に詰め込んだ上記詰め物を支えてその詰め物によって上記操作ボタンを押し下げさせるための詰め物支持部が形成されていることを特徴とするエアゾール容器のアクチュエータ。
【請求項２】
上記操作ボタンの頂部に、上記開口部に詰め込まれてその詰め物支持部により支えられた上記詰め物に当接して押圧される受圧部が形成されている請求項１に記載したエアゾール容器のアクチュエータ。
【請求項３】
上記詰め物支持部が上記開口部の上縁部によって形成され、上記受圧部が、上記開口部の上縁部よりも下位に位置する上記操作ボタンの頂部に形成されている請求項２に記載したエアゾール容器のアクチュエータ。
【請求項４】
上記操作ボタンが上記容器本体に備わっているステムバルブのステムに嵌着されてそのステムバルブの内部通路がチューブによって形成される上記内容物通路を経て上記ノズルに連通され、押し下げ操作による上記操作ボタンの変位が上記空所での上記チューブの曲り変形によって吸収されるようになっている請求項３に記載したエアゾール容器のアクチュエータ。
【請求項５】
上記詰め物が、紙片又はプラスチック片を折り曲げて形成される先細形状の立体物である請求項１ないし請求項４のいずれか１項に記載したエアゾール容器のアクチュエータ。
【考案の詳細な説明】
【技術分野】
【０００１】
本考案は、エアゾール容器の残量を排出する操作を、手を携えることなく行うことができるようにするための対策を講じた残量排出機能を有するエアゾール容器のアクチュエータに関する。
【背景技術】
【０００２】
一般的なエアゾール容器は、その内容物に、油脂、塗料、薬液などの有効成分と共にそれらの有効成分をノズルから押し出すための加圧ガスとが含まれていて、押上げ方向に常時弾発付勢されている操作ボタンの押込み操作を通じて上記内容物がノズルから噴出するようになっている。また、上掲したような有効成分だけを蓄えたサブ容器の内容物出口を上記ノズルに臨ませ、そのノズルから吐出させた内容物としての加圧ガスのガス流によりサブ容器の内容物を吸い出させてガス流と共に前方へ噴射するように構成されているものも知られている。
【０００３】
これらのエアゾール容器において、内容物が残っているものがそのまま廃棄されてしまうと、たとえば、ごみ処理場などでの廃棄物処理中に何らかの原因によって引き起こされる引火による爆発事故などを起こす危険がある。そこで、このような危険を回避することのために、完全に使い切られずにエアゾール容器に残っている内容物（残量）を、事前に排出させてからそのエアゾール容器を廃棄することが推奨されている。
【０００４】
従来より、エアゾール容器の残量を排出する操作の便宜を図ることを意図して、上記操作ボタンを備えたキャップに工夫を講じることにより、内容物が無くなるまでその内容物をノズルから噴出させ続けることができるようにする対策が提案されている（たとえば、特許文献１）。この特許文献１に記載されているものは、コインなどを利用してノズルを常用時の向きから残量排出時の向きに変更することによって、ノズルを常開状態に保つことを内容としている。
【０００５】
【特許文献１】特開２００２−２５５２６１号公報
【考案の開示】
【考案が解決しようとする課題】
【０００６】
しかしながら、残量排出を意図して従来より講じられている対策は、特許文献１に見られるものを含めて、そのような対策を講じていないエアゾール容器に比べ、ノズルやその関連箇所の構成が複雑になっていたり、満足のいく使い勝手が得られなかったり、残量排出の途中で必要に応じてその排出操作を停止するという緊急停止操作を容易にかつ迅速に行うことができなかったりするといった問題点を有していた。また、別パーツの排出具を入手して用いるものもあったが、そのものは別パーツの排出具を入手するのに経済的な負担が発生するだけでなく、その排出具をエアゾール容器に付加して販売した場合には、エアゾール容器の価格が高くなるという問題点があった。
【０００７】
本考案は、以上の問題点や状況に鑑みてなされたものであり、エアゾール容器の樹脂成形体でなるキャップ形のアクチュエータに備わっている空所、特に操作ボタンの内部通路とノズルとを連通している内容物通路が配備されている空所の開口部や操作ボタンなどの特定部位に一定の機能を付加させるという対策などを講じることによって、ノズルやその関連箇所の構成が複雑になるという事態を来さず、通常時の使い勝手を損なうことなく、残量排出の途中で必要に応じてその排出操作を停止するという緊急停止操作を容易にかつ迅速に行うことが可能であって、その上、経済的な負担の発生を伴わないエアゾール容器のアクチュエータを提供することを目的とする。
【課題を解決するための手段】
【０００８】
本考案に係る残量排出機能を有するエアゾール容器は、内容物を貯留している容器本体に装着される樹脂成形体でなるキャップ形のアクチュエータであって、上記内容物を噴出するノズルと、押上げ方向に常時弾発付勢されていてその付勢力に抗して押し下げられることにより上記内容物を内容物通路を経て上記ノズルに向けて上記容器本体から流出させる操作ボタンと、上記内容物通路の構成部材が配備されて上記操作ボタンの前側に位置している空所と、上記操作ボタン側の上記空所の開口部に詰め込まれる詰め物とを備え、上記操作ボタン側の上記開口部の口縁に、その開口部に詰め込んだ上記詰め物を支えてその詰め物によって上記操作ボタンを押し下げさせるための詰め物支持部が形成されている。
【０００９】
このエアゾール容器において、キャップ形のアクチュエータやそのアクチュエータに備わっているノズル、操作ボタン、チューブなどによって構成される内容物通路が配備されている空所などは、操作ボタンを押し下げてノズルから内容物を噴出させるという当該エアゾール容器の通常使用に際して必要不可欠な要素ないし部位であると云える。そして、この考案では、そのようなエアゾール容器にとって必要不可欠な要素又は部位である開口部の口縁を利用して詰め物支持部を形成し、その開口部に詰め込んだ詰め物をその詰め物支持部により支えさせてその詰め物により操作ボタンを押し下げさせるように構成してあるので、当該エアゾール容器に残量排出機能を付加してあるとしても、ノズルやその関連箇所の構成が複雑になるという事態を来す余地がなく、通常時の使い勝手を損なうこともない。また、残量排出の途中で詰め物を空所の開口部から引き抜くことによって排出操作を即座に停止するという緊急停止操作を容易にかつ迅速に行うことも可能である。その上、詰め物には、折り曲げたりロール巻きした不要な厚紙やプラスチック片などを使用することが可能であって、その詰め物に関して経済的な負担を発生させなくて済む。そのため、経済的な負担の発生を伴わない残量排出機能を有するエアゾール容器のアクチュエータを提供することが可能になる。
【００１０】
本考案では、上記操作ボタンの頂部に、上記開口部に詰め込まれてその詰め物支持部により支えられた上記詰め物に当接して押圧される受圧部が形成されている、という構成を採用することが可能である。この構成においても、受圧部は、操作ボタンの頂部の一部をそのまま利用して形成することが可能である。
【００１１】
本考案では、上記詰め物支持部が上記開口部の上縁部によって形成され、上記受圧部が、上記開口部の上縁部よりも下位に位置する上記操作ボタンの頂部に形成されていることが望ましい。これによれば、開口部に詰め物を詰め込む操作や開口部から詰め物を引き抜く操作を容易に行うことができるようになる。
【００１２】
本考案では、上記操作ボタンが上記容器本体に備わっているステムバルブのステムに嵌着されてそのステムバルブの内部通路がチューブによって形成される上記内容物通路を経て上記ノズルに連通され、押し下げ操作による上記操作ボタンの変位が上記空所での上記チューブの曲り変形によって吸収されるようになっているものであってもよい。
【００１３】
本考案では、上記詰め物が、紙片又はプラスチック片を折り曲げて形成される先細形状の立体物であるという構成を採用することができる。これによれば、立体物が紙片又はプラスチック片を折り曲げることによって形成されているために当該立体物に容易に変形しない程度の大きな強度を具備させることができ、また、その立体物が先細形状であるために、上記開口部に詰め物を詰め込む操作を行いやすい。
【考案の効果】
【００１４】
以上のように、本考案に係るエアゾール容器のアクチュエータによれば、当該アクチュエータに備わっている空所の開口部や操作ボタンなどの特定部位に一定の機能を付加させるという対策を講じるだけで、そのエアゾール容器に残量排出機能を付与することが可能になるので、ノズルやその関連箇所の構成が複雑になるという事態を来さず、通常時の使い勝手を損なうことなく、残量排出の途中で必要に応じてその排出操作を停止するという緊急停止操作を容易にかつ迅速に行うことが可能であって、その上、経済的な負担の発生を伴わない残量排出機能を有するエアゾール容器を提供するという所期の目的が達成される。また、残量排出時に用いられる詰め物として、不要な厚紙の切れ端やエアゾール容器の包装としての紙や樹脂（プラスチック）などの切取り片を用いることができるという利便性がある。
【考案を実施するための最良の形態】
【００１５】
図１は本考案の実施形態に係るアクチュエータを装備したエアゾール容器の概略斜視図、図２は図１の要部を一部破断して示した拡大側面図、図３は残量排出操作時の要部を一部破断して示した拡大側面図である。
【００１６】
この実施形態では、キャップ形のアクチュエータ３が、内容物を貯留している容器本体２とその容器本体２に装着されていて、アクチュエータ３は容器本体２に着脱可能な樹脂成形体でなる。容器本体２の内容物には加圧用ガスだけが含まれているのに対し、アクチュエータ３には、図示していないサブ容器（不図示）が着脱可能になっているほか、容器本体２の内容物である加圧ガスを噴出するノズル４及び上記サブ容器の有効成分である塗料などの内容物出口５が備わっていて、ノズル４から吐出した加圧ガスのガス流によりサブ容器の内容物が吸い出されてそのガス流と共に前方へ噴射されるようになっている。
【００１７】
さらに、アクチュエータ３には、上記ノズル４に弾性を有するチューブ４１を介して連結された操作ボタン６が備わり、その操作ボタン６がチューブ４１によって上下変位可能に支持されている。そして、アクチュエータ３を図１のように容器本体２に装着した状態では、図２のように、操作ボタン６が容器本体２に備わっているステムバルブ（不図示）のステム２１に嵌着されてそのステムバルブの内部通路がチューブ４１によって形成される内容物通路を経てノズル４に連通されている。
【００１８】
図２に示したステム２１は、ステムバルブに内蔵されているばねなどの弾性体の作用で常時上方に向けて付勢されていて、その付勢に抗してステム２１が押し込まれたときにステムバルブが開いて容器本体２の内容物である加圧ガスがノズル４から噴出するのに対し、ステム２１に対する押込み力が解除されると、そのステム２１が上記弾性体の力で押し上げられて初期位置に復帰し、ステムバルブが閉じてノズル４からの加圧ガスの噴出が停止する。
【００１９】
また、図１のように、アクチュエータ３には操作ボタン６を収容している凹入部３１が備わっていて、操作ボタン６を挟む左右両側で立ち上がっている凹入部３１の左右の壁部３２，３２の相互間に手の指を嵌めて操作ボタン６の押下げ操作を行うことができるようになっている。このように、操作ボタン６を凹入部３１に収容しておくと、取扱者が意図しないときに不慮に操作ボタン６が押し下げられてノズル４から内容物が噴出してしまうという事態を防ぐことに役立つ。また、アクチュエータ３には、内容物通路を形成している上記チューブ４１が挿通状態で配備されている空所３３が備わり、操作ボタン６の押下げ操作による変位が空所３３でのチューブ４１の曲り変形によって吸収されるようになっている。
【００２０】
以上のように構成されているエアゾール容器１において、図２のように初期位置に復帰している操作ボタン６の頂部６１を、取扱者が凹入部３１の左右の壁部３２，３２の相互間に手の指を嵌めて矢印Ｆのように押して操作ボタン６を押し下げると、上記したステムバルブが開いてノズル４から加圧ガスが噴出し、その加圧ガスのガス流によりサブ容器（不図示）の内容物が内容物出口５から吸い出されてそのガス流と共に前方へ噴射される。
【００２１】
この実施形態では、残量排出操作を行うための対策として、操作ボタン６の前側に位置している空所３３の操作ボタン６に臨む開口部３４の上側の口縁（上縁部）を詰め物支持部３４ａとして形成してある。そして、図２のように、操作ボタン６の頂部６１を上記開口部３４の上縁部である詰め物支持部３４ａよりも下位に位置させてある。
【００２２】
上記アクチュエータ３は、上記したノズル４と、操作ボタン６と、チューブ４１によって形成されている内容物通路が配備されて上記操作ボタンの前側に位置している空所３３とを備えているほか、操作ボタン６側の上記空所３３の開口部に詰め込まれる詰め物７とを備えている。そして、たとえば図３に示したように、一定の長さと上下幅とを有する詰め物７を開口部３４の詰め物支持部３４ａと操作ボタン６との隙間を経て開口部３４に矢印ａのように詰め込むことによって、詰め物支持部３４ａで支えさせた詰め物７を、操作ボタン６の頂部に当接させてその操作ボタン６を押し下げさせると、上記したステムバルブが開いてノズル４から加圧ガスが噴出し、その加圧ガスのガス流によりサブ容器（不図示）の内容物が内容物出口５から吸い出されてそのガス流と共に前方へ噴射される。このときのガス流の噴出は、詰め物７から手の指を離しても、操作ボタン６が詰め物７により押し下げられてその位置を保つので、加圧ガスがノズル４から噴出しなくなるまで（すなわち、容器本体２の残量がなくなるまで）継続する。したがって、ノズル４からの加圧ガスのガス流の噴出と内容物出口５からのサブ容器の内容物の排出とが連続して併せ行われる。この場合において、サブ容器を装着せずに上記した残量排出操作を行うと、容器本体２の内容物である加圧ガスだけの残量排出が行われる。以上のようにして容器本体２の内容物の残量排出を完了したエアゾール容器１は安全に廃棄することができる。
【００２３】
なお、図３に示した使用状態では、操作ボタン６の頂部６１の前端に詰め物７が当接しているので、その箇所、すなわち操作ボタン６の頂部６１の前端が、開口部３４に詰め込まれてその詰め物支持部３４ａにより支えられた詰め物７に当接して押圧される受圧部を形成している。
【００２４】
残量排出を行っている途中でその残量排出を緊急に停止する必要が生じたときには、詰め物７を開口部３４から引き抜けばよく、そのようにすると、操作ボタン６がステム２１の押上げ力によって初期位置に復帰し、ノズル４からの加圧ガスの噴出が停止する。
【００２５】
図１〜図３に示したアクチュエータ３は、容器本体２に充填されている加圧ガスの噴流によってサブ容器の内容物を噴出させる機能を有しているけれども、容器本体２に加圧ガスと有効成分とが充填されていて、加圧ガスと共に有効成分をノズルから噴出させる機能を有しているものであってもよい。そのような事例を図４に示してある。すなわち、図４は容器本体２に他の実施形態に係るアクチュエータ３を装着した事例の要部の一部破断側面図である。
【００２６】
図４のアクチュエータ３において、図１〜図３に示したアクチュエータ３と異なる点は、図１〜図３に示されているサブ容器の内容物出口５を省略する代わりに、アクチュエータ３の前壁部分３５にノズル４を装備させてあり、そのノズル４にチューブ４１によって形成される内容物通路を連通させてある。その他の構成は、図１〜図３に示したアクチュエータ３の構成と同様であるので、同一部分に同一符号を付すことによって詳細な構成説明を省略する。
【００２７】
このアクチュエータ３によっても、一定の長さと上下幅とを有する詰め物７を開口部３４の詰め物支持部３４ａと操作ボタン６との隙間を経て開口部３４に矢印ａのように詰め込むことによって、詰め物支持部３４ａで支えさせた詰め物７を、操作ボタン６の頂部に当接させてその操作ボタン６を初期位置（仮想線で示してある）から下向き矢印のように実線で示した位置まで押し下げさせることができ、そのようにすると、ステムバルブが開いてノズル４から加圧ガスと共に有効成分が噴出する。このときのガス流の噴出は、詰め物７から手の指を離しても、操作ボタン６が詰め物７により押し下げられてその位置を保つので、加圧ガスや有効成分がノズル４から噴出しなくなるまで（すなわち、容器本体２の残量がなくなるまで）継続する。したがって、ノズル４からの加圧ガス及び有効成分の排出が連続して行われる。なお、図４に示した使用状態では、操作ボタン６の頂部６１の前端に詰め物７が当接しているので、その箇所、すなわち操作ボタン６の頂部６１の前端が、開口部３４に詰め込まれてその詰め物支持部３４ａにより支えられた詰め物７に当接して押圧される受圧部を形成している。
【００２８】
図５は上記詰め物７の種々の好適な形状を説明的に示してある。同図（Ａ）は三角錐状の詰め物７、同図（Ｂ）は五角錐状の詰め物７、同図（Ｃ）は円錐状の詰め物７、同図（Ｄ）は先細紙片状の詰め物７をそれぞれ示していて、同図（Ａ）〜（Ｃ）の詰め物７はいずれも立体物である。これらの各詰め物７は、厚紙を錐状に折り曲げたりロール巻きしたり先細状に切断したりするだけで容易に製作することが可能であり、また、その材料としての厚紙には、身の回りにある不要な厚紙の切れ端のほか、エアゾール容器などの包装としての紙箱の一部を切り取ることによっても流用することが可能である。また、身の回りにある不要なプラスチック片やエアゾール容器などの包装としてのプラスチック包装の一部を切り取ることによっても流用することが可能である。そして、詰め物７を図４（Ａ）〜（Ｃ）のような先細錐状に形作っておくと、図３又は図４の矢印ａのように開口部３４に詰め込みやすくなってその詰込み作業性が向上するほか、残量排出を緊急に停止する必要が生じたときに迅速に開口部３４から引き抜くことができるという利便がある。
【００２９】
図６は詰め物７を立体的に形作るための紙片又はプラスチック片を例示してある。すなわち、この事例は、図５（Ａ）の三角錐状の詰め物７を形作りやすいように、略扇形の紙片又はプラスチック片７１に折曲げ線７２を形成し、その折曲げ線７２の形成箇所を折り曲げることによって三角錐状の立体物が得られるようになっている。
【００３０】
図７（Ａ）は他の形状の詰め物７を立体的に形作るための紙片又はプラスチック片を例示してある。すなわち、この事例は、図７（Ｂ）に示した先細波形の立体物でなる詰め物７を形作りやすいように、略扇形の紙片又はプラスチック片７１に折曲げ線７２を形成してあり、それらの折曲げ線７２の形成箇所を交互に山折り状又は谷折り状に折り曲げることによって同図（Ｂ）の先細波形の立体物でなる詰め物７が得られる。この詰め物７は、その形状が波形であるために、図３又は図４のように開口部３４に詰め込まれてその開口部３４の詰め物支持部３４ａと操作ボタン６の頂部６１との間で挟圧されたとしても、容易に潰れ変形しない。そのため、残量排出の途中で詰め物７が変形して不慮に残量排出作業が中断してしまうという事態を生じにくいという利点がある。
【図面の簡単な説明】
【００３１】
【図１】本考案の実施形態に係るアクチュエータを装備したエアゾール容器の概略斜視図である。
【図２】図１の要部を一部破断して示した拡大側面図である。
【図３】残量排出操作時の要部を一部破断して示した拡大側面図である。
【図４】容器本体に他の実施形態に係るアクチュエータ３を装着した事例の要部の一部破断側面図である。
【図５】（Ａ）〜（Ｄ）は詰め物の種々の好適な形状を例示した説明図である。
【図６】詰め物を立体的に形作るための紙片又はプラスチック片を例示した平面図である。
【図７】（Ａ）は他の形状の詰め物を立体的に形作るための紙片又はプラスチック片を例示した平面図、（Ｂ）は（Ａ）に示した紙片又はプラスチック片を用いて形成された先細波形の立体物でなる詰め物７を示した斜視図である。
【符号の説明】
【００３２】
２  容器本体
３  アクチュエータ
４  ノズル
６  操作ボタン
７  詰め物
２１  ステム
３３  空所
３４  開口部
３４ａ  詰め物支持部
４１  チューブ
６１  操作ボタンの頂部（受圧部）
【図１】
0003124417.tif 000003
【図２】
0003124417.tif 000004
【図３】
0003124417.tif 000005
【図４】
0003124417.tif 000006
【図５】
0003124417.tif 000007
【図６】
0003124417.tif 000008
【図７】
0003124417.tif 000009